(57)【要約】【課題】  情報を配信する側の装置に、利用者の個人情報を開示しないで、効果的に情報を配信する仕組みを提供する。【解決手段】  情報提供装置（Ｊ）３１は、それぞれ、配信を開始する情報の属性分類情報と、少なくとも自機識別情報を含めて発行する配信キー情報と、を含む配信開始通知を生成し、配信管理装置４０に対して送信する。配信管理装置４０は、配信開始通知に含まれる属性分類情報と、予め登録されたユーザ毎の配信希望属性とを照合して携帯端末（Ｕ）１０１を選別し、配信開始通知を転送する。携帯端末（Ｕ）１０１は、無線通信網２１圏内に入ると、少なくとも前記配信キー情報と属性分類情報とを含んだ情報配信要求を行い、情報提供装置（Ｊ）３１から情報の配信を受ける。【選択図】  図１
2006277636.tif 000002
【特許請求の範囲】
【請求項１】
第１のネットワークを介して携帯端末から接続可能な情報提供装置群と、前記情報提供装置群と第２のネットワークを介して接続された配信管理装置と、を含む情報配信システムにおいて、
前記情報提供装置は、それぞれ、配信を開始する情報の属性分類情報と、少なくとも自機識別情報を含めて発行する配信キー情報と、を含む配信開始通知を生成し、前記配信管理装置に対して送信する配信開始通知部を備え、
前記配信管理装置は、前記配信開始通知に含まれる属性分類情報と、予め登録されたユーザ毎の配信希望属性とを照合して携帯端末を選別し、前記配信開始通知を転送する配信開始通知転送部を備え、
前記携帯端末は、前記転送された配信開始通知に基いて、少なくとも前記配信キー情報と属性分類情報とを含んだ情報配信要求を送信する配信要求部を備え、
更に、前記情報提供装置が、前記情報配信要求に含まれる配信キー情報を検証するとともに、前記検証に成功した携帯端末に対して、前記属性分類情報に対応する情報を配信する情報配信部を備えること、
を特徴とする情報配信システム。
【請求項２】
前記配信管理装置が、更に、
前記情報提供装置から、少なくとも自機識別情報と、配信を予定する情報の属性分類との登録を受け付ける共通定義登録受付部と、
前記携帯端末からのアクセスに応じて、前記共通定義情報を送信し、少なくとも配信希望属性の登録を受け付けるサービス利用登録受付部と、を備えたこと、
を特徴とする請求項１に記載の情報配信システム。
【請求項３】
前記情報提供装置は、
情報の配信を行う有効期間情報を含んだ配信キー情報を生成し、
前記情報配信要求を受信した際に、前記有効期間を確認してから情報を配信すること、
を特徴とする請求項１又は２に記載の情報配信システム。
【請求項４】
前記配信管理装置は、更に、移動通信ネットワークと接続され、
該移動通信ネットワークを介して、前記配信開始通知を前記携帯端末に対して転送すること、
を特徴とする請求項１乃至３いずれか一に記載の情報配信システム。
【請求項５】
配信を開始する情報の属性分類情報と、少なくとも自機識別情報を含めて発行する配信キー情報と、を含む配信開始通知を情報提供装置に対して送信し、第１のネットワークを介して携帯端末から前記配信開始通知を用いた情報配信要求を受け付ける情報提供装置群と第２のネットワークを介して接続された配信管理装置において、
前記配信開始通知に含まれる属性分類情報と、予め登録されたユーザ毎の配信希望属性とを照合して携帯端末を選別し、前記配信開始通知を転送する配信開始通知転送部を備えたこと、
を特徴とする配信管理装置。
【請求項６】
更に、
前記情報提供装置から、少なくとも自機識別情報と、配信を予定する情報の属性分類との登録を受け付ける共通定義登録受付部と、
前記携帯端末からのアクセスに応じて、前記共通定義情報を送信し、配信希望属性の登録を受け付けるサービス利用登録受付部と、を備えたこと、
を特徴とする請求項５に記載の配信管理装置。
【請求項７】
前記配信管理装置は、更に、移動通信ネットワークと接続され、
該移動通信ネットワークを介して、前記配信開始通知を前記携帯端末に対して転送すること、
を特徴とする請求項５又は６に記載の配信管理装置。
【請求項８】
第１のネットワークを介して携帯端末から接続可能であり、第２のネットワークを介して接続された請求項５乃至７いずれか一に記載の配信管理装置と接続された情報提供装置であって、
配信を開始する情報の属性分類情報と、少なくとも自機識別情報を含めて発行する配信キー情報と、を含む配信開始通知を生成し、前記配信管理装置に対して送信する配信開始通知部と、
前記携帯端末から受信した情報配信要求に含まれる配信キー情報を検証するとともに、前記検証に成功した携帯端末に対して、前記属性分類情報に対応する情報を配信する情報配信部と、を備えること、
を特徴とする情報提供装置。
【請求項９】
情報の配信を行う有効期間情報を含んだ配信キー情報を生成し、
前記情報配信要求を受信した際に、前記有効期間を確認してから情報を配信すること、
を特徴とする請求項８に記載の情報提供装置。
【請求項１０】
請求項５乃至７いずれか一に記載の配信管理装置から転送された配信開始通知を受信し記憶保持する手段と、
前記配信開始通知に基いて少なくとも前記配信キー情報と属性分類情報とを含んだ情報配信要求を生成し、請求項８又は９に記載の情報提供装置に対して送信する手段と、
請求項８又は９に記載の情報提供装置から前記情報配信要求に応じた情報を受信する手段と、を備えたこと、
を特徴とする携帯端末。
【請求項１１】
第１のネットワークを介して携帯端末に対して情報の配信を行う情報提供装置群と、第２のネットワークを介して該情報提供装置群が配信する情報の管理を行う配信管理装置と、の双方にアクセス可能な携帯端末に対する情報の配信方法であって、
前記情報提供装置が、前記配信管理装置に対して、少なくとも自機識別情報と、配信を予定する情報の属性分類を含む共通定義情報を登録するステップと、
前記配信管理装置が、前記携帯端末からのアクセスに応じて、前記共通定義情報を送信し、少なくとも配信を希望する情報の属性分類の選択を受け付けて利用登録を行うステップと、
前記情報提供装置が、配信を開始する情報の属性分類情報と、少なくとも自機識別情報を含めて発行する配信キー情報と、を含む配信開始通知を生成し、前記配信管理装置に対して送信するステップと、
前記配信管理装置が、前記配信開始通知に含まれる属性分類情報と、予め登録されたユーザ毎の配信希望属性とを照合して携帯端末を選別し、前記配信開始通知を転送するステップと、
前記配信開始通知を受信した携帯端末が、少なくとも前記配信キー情報と属性分類情報とを含んだ情報配信要求を送信するステップと、
前記配信キー情報と一致する自機識別情報を有する情報提供装置が、属性分類情報に対応する情報を配信するステップと、を含むこと、
を特徴とする情報の配信方法。
【請求項１２】
前記情報提供装置は、情報の配信を行う有効期間情報を含んだ配信キー情報を生成し、前記情報配信要求を受け付けた際に、前記有効期間を確認してから情報を配信すること、
を特徴とする請求項１１に記載の情報の配信方法。
【請求項１３】
配信を開始する情報の属性分類情報と、少なくとも自機識別情報を含めて発行する配信キー情報と、を含む配信開始通知を情報提供装置に対して送信し、第１のネットワークを介して携帯端末から前記配信開始通知を用いた情報配信要求を受け付ける情報提供装置群と第２のネットワークを介して接続された配信管理装置を構成するコンピュータに実行させるプログラムであって、
前記配信開始通知に含まれる属性分類情報と、予め登録されたユーザ毎の配信希望属性とを照合して携帯端末を選別する処理と、
前記選別した携帯端末に対して、前記配信開始通知を転送する処理と、を実行させるプログラム。
【請求項１４】
更に、前記情報提供装置から、少なくとも自機識別情報と、配信を予定する情報の属性分類との登録を受け付ける処理と、
前記携帯端末からのアクセスに応じて、前記共通定義情報を送信し、配信希望属性の登録を受け付ける処理と、を前記コンピュータに実行させる請求項１３に記載のプログラム。
【請求項１５】
前記配信開始通知を、移動通信ネットワークを介して転送すること、
を特徴とする請求項１３又は１４に記載のプログラム。
【請求項１６】
第１のネットワークを介して携帯端末から接続可能であり、第２のネットワークを介して接続された請求項５乃至７いずれか一に記載の配信管理装置と接続された情報提供装置を構成するコンピュータに実行させるプログラムであって、
配信を開始する情報の属性分類情報と、少なくとも自機識別情報を含めて発行する配信キー情報と、を含む配信開始通知を生成する処理と、
前記生成した配信開始通知を前記配信管理装置に対して送信する処理と、
前記携帯端末から受信した情報配信要求に含まれる配信キー情報を検証する処理と、
前記検証に成功した携帯端末に対して、前記属性分類情報に対応する情報を配信する処理と、を実行させるプログラム。
【請求項１７】
情報の配信を行う有効期間情報を含んだ配信キー情報を生成し、
前記情報配信要求を受信した際に、前記有効期間を確認してから情報を配信すること、
を特徴とする請求項１６に記載のプログラム。
【請求項１８】
請求項５乃至７いずれか一に記載の配信管理装置から転送された配信開始通知を受信し記憶保持する処理と、
前記配信開始通知に基いて少なくとも前記配信キー情報と属性分類情報とを含んだ情報配信要求を生成し、請求項８又は９に記載の情報提供装置に対して送信する処理と、
請求項８又は９に記載の情報提供装置から前記情報配信要求に応じた情報を受信する処理との前記各処理を、携帯端末を構成するコンピュータに実行させるプログラム。
【発明の詳細な説明】
【技術分野】
【０００１】
本発明は、携帯端末に対し情報を選択的に配信する情報配信システム、装置、情報配信方法、及び、プログラム情報提供方式に関する。
【背景技術】
【０００２】
利用者の携帯端末に特定の情報提供サービスを実施する場合、図７に示すように、情報提供事業者が各携帯端末利用者の嗜好や現在地等の情報を入手乃至事前に登録しておくための配信管理装置４１と、情報の配信を行う情報提供装置１３１の双方を設置・運営し、移動通信網１１０経由でアクセスする携帯端末２０１に対して、情報を配信する情報配信システムが知られている。この種の情報配信システムにおいては、携帯端末を選別して情報提供サービスを行うことが可能となっている。
【０００３】
また、特開２００２−３３５５７６号公報には、上記配信管理装置４１と情報提供装置１３１の機能を統合したサーバを用意し、該サーバが無線端末に対しインデックス情報を送信し、前記インデックス情報から選択され、かつ、無線端末の現在位置に適合する情報を配信する無線情報配信システムが紹介されている。
【０００４】
【特許文献１】特開２００２−３３５５７６号公報
【発明の開示】
【発明が解決しようとする課題】
【０００５】
しかしながら、上記携帯端末利用者の嗜好や現在地等に関する情報には、しばしばユーザを特定可能な情報や他人に知られたくない個人情報が含まれてしまうという問題点がある。また、複数の情報提供事業者から情報提供サービスを受けるケースでは、情報提供事業者毎に上記嗜好や現在地等に関する情報を登録する必要がある。また、情報提供事業者間で、上記携帯端末利用者の嗜好や現在地等に関する情報を共有させることも考えられるが、この場合、ユーザの意図しないところで情報が利用されてしまうことが考えられる。
【課題を解決するための手段】
【０００６】
本発明の第１の視点によれば、無線通信網等の第１のネットワークを介して携帯端末から接続可能な情報提供装置群と、前記情報提供装置群とインターネット等の第２のネットワークを介して接続された配信管理装置と、を含む情報配信システムにおいて、個々の情報提供装置に、ユーザが配信を希望する情報の属性等を開示することなく、効率よく情報の配信を行う情報配信システムが提供される。前記情報提供装置は、それぞれ、配信を開始する情報の属性分類情報と、少なくとも自機識別情報を含めて発行する配信キー情報と、を含む配信開始通知を生成し、前記配信管理装置に対して送信する。また、前記配信管理装置は、前記配信開始通知に含まれる属性分類情報と、予め登録されたユーザ毎の配信希望属性とを照合して携帯端末を選別し、前記配信開始通知を転送する。また、前記携帯端末は、前記転送された配信開始通知に基いて、少なくとも前記配信キー情報と属性分類情報とを含んだ情報配信要求を送信する。更に、前記情報提供装置が、前記情報配信要求に含まれる配信キー情報を検証するとともに、前記検証に成功した携帯端末に対して、前記属性分類情報に対応する情報を配信する。
【０００７】
また、本発明の第２の視点によれば、第１のネットワークを介して携帯端末に対して情報の配信を行う情報提供装置群と、第２のネットワークを介して該情報提供装置群が配信する情報の管理を行う配信管理装置と、の双方にアクセス可能な携帯端末に対する情報の配信方法であって、以下の各ステップを含む情報の配信方法が提供される。前記情報提供装置が、前記配信管理装置に対して、少なくとも自機識別情報と、配信を予定する情報の属性分類を含む共通定義情報を登録する（共通定義登録工程）。続いて、前記配信管理装置が、前記携帯端末からのアクセスに応じて、前記共通定義情報を送信し、少なくとも配信を希望する情報の属性分類の選択を受け付けて利用登録を行う（サービス利用登録工程）。続いて、前記情報提供装置が、配信を開始する情報の属性分類情報と、少なくとも自機識別情報を含めて発行する配信キー情報と、を含む配信開始通知を生成し、前記配信管理装置に対して送信し、前記配信管理装置が、前記配信開始通知に含まれる属性分類情報と、予め登録されたユーザ毎の配信希望属性とを照合して携帯端末を選別し、前記配信開始通知を転送する（配信開始通知工程）。続いて、前記配信開始通知を受信した携帯端末が、少なくとも前記配信キー情報と属性分類情報とを含んだ情報配信要求を送信し、前記サービスキー情報と一致する自機識別情報を有する情報提供装置が、属性分類情報に対応する情報を配信する（情報配信工程）。
【０００８】
また、本発明の第３の視点によれば、上記方法を実施するための各装置、及び、各装置を構成するコンピュータに実行させるプログラムが提供される。
【発明の効果】
【０００９】
本発明によれば、携帯端末ユーザの負担も少なく、また、個人情報を各情報提供事業者に開示し又は情報を共有させることなく、携帯端末ユーザの嗜好や現在地等を考慮した効率的な情報配信を行うことが可能となる。
【発明を実施するための最良の形態】
【００１０】
続いて、発明を実施するための最良の形態について、図面を参照して詳細に説明する。図１は、本発明の第１の実施形態に係る情報配信システムの構成を表した図である。図１を参照すると、配信管理装置（Ｗ）４０と、情報提供装置（Ｊ）３１と、を備えて、利用者の携帯端末（Ｕ）１０１に対して情報を配信する情報配信システムが示されている。
【００１１】
配信管理装置（Ｗ）４０は、広域に情報提供を行う情報提供事業者が運営する情報処理装置であり、移動通信網１０経由で利用者の携帯端末（Ｕ）１０１と通信可能であり、また、インターネット１１経由で情報提供装置（Ｊ）３１と通信することができる。
【００１２】
また、配信管理装置（Ｗ）４０は、情報提供装置（Ｊ）３１から後記する共通定義情報を受け付ける共通定義登録受付部と、この共通定義情報を公開し利用登録を受け付けるサービス利用登録受付部と、後記する手順で情報提供装置（Ｊ）３１から受け取った配信開始通知を転送する配信開始通知転送部を備えている。これらは、いずれもコンピュータプログラムの形態にて配信管理装置（Ｗ）４０に備えられる。また、配信管理装置（Ｗ）４０は、図示しない利用者情報データベースと情報提供事業者データベースに接続されている。
【００１３】
情報提供装置（Ｊ）３１は、地域や特定の分野に関する情報の提供を行う多数の情報提供事業者がそれぞれ運営する情報処理装置であり、接続された最寄りの無線通信網２１を介して、利用者の携帯端末（Ｕ）１０１と通信することができる。また、情報提供装置（Ｊ）３１は、インターネット１１経由で配信管理装置（Ｗ）４０と通信することができる。
【００１４】
また、情報提供装置（Ｊ）３１は、後記する属性分類情報（Ａ）と配信キー（Ｋ）と、を含む配信開始通知を生成し、配信管理装置（Ｗ）４０に対して送信する配信開始通知部と、携帯端末（Ｕ）１０１から受信した情報配信要求に含まれる配信キー（Ｋ）を検証するとともに、検証に成功した携帯端末に対して、属性分類情報（Ａ）に対応する情報を配信する情報配信部と、を備えている。これらは、いずれもコンピュータプログラムの形態にて情報提供装置（Ｊ）３１に備えられる。
【００１５】
無線通信網２１は、無線ＬＡＮやブルートゥース（登録商標）等の近距離無線通信方式にて接続可能な無線通信ネットワークである。例えば、店舗内や公共スペース等に設置される。
【００１６】
利用者の携帯端末（Ｕ）１０１は、移動通信網１０と無線通信網２１の両方に接続し、通信可能な携帯端末である。従って、携帯端末利用者は、現在地や利用目的に応じて、移動通信網１０又は無線通信網２１を選択して利用することができる。
【００１７】
続いて、本実施形態の動作について図面を参照して詳細に説明する。図２は、本実施の形態の全体動作を表したフローチャートである。図２を参照すると、全体の流れとしては、まず、情報提供装置（Ｊ）３１から、配信管理装置（Ｗ）４０に対し、その提供する情報の概要情報を予め定められた共通形式で登録する共通定義登録工程が行われる。次いで、情報提供装置（Ｊ）３１から登録された情報が、携帯端末（Ｕ）利用者に公開され、携帯端末（Ｕ）１０１から、配信管理装置（Ｗ）４０に対し、配信を受ける情報が属する属性分類を指定したサービス利用登録工程が行われる。
【００１８】
そして、情報提供装置（Ｊ）３１側において提供する情報の準備が完了すると、配信管理装置（Ｗ）４０を介して携帯端末（Ｕ）１０１側に配信開始通知を配布する配信開始通知工程が行われる。最後に、配信開始通知を受信した携帯端末（Ｕ）１０１により、情報提供装置（Ｊ）３１に対し、情報の配信を要求し、これに応じて情報配信を行う情報配信工程が行われる。
【００１９】
続いて、上記各工程の詳細の流れについて説明する。図３は、共通定義登録工程の流れを表した図である。図３を参照すると、まず、情報提供装置（Ｊ）３１が共通定義情報を作成し（ステップＳ１０１）、配信管理装置（Ｗ）４０に対して、作成した共通定義情報を送り登録要求する（ステップＳ１０２）。
【００２０】
ここで、上記共通定義情報について説明する。共通定義情報は、情報提供事業者名、サービス名称（業種）、提供する情報の選別に用いる属性分類情報（Ａ）が含まれている。例えば、レンタルビデオ業であれば、サービス名称は、レンタルビデオとなり、属性分類情報（Ａ）は、その所在地や”映画”等といった任意のキーワードが設定される。
【００２１】
配信管理装置（Ｗ）４０は、前記登録要求を受信すると（ステップＳ１０３）、共通定義情報を、情報提供事業者データベースに格納し登録完了する（ステップＳ１０４）。
【００２２】
図４は、サービス利用登録工程の流れを表した図である。図４を参照すると、まず、配信管理装置（Ｗ）４０が、上記共通定義登録工程で収集した多数の情報提供事業者から受け付けた共通定義情報をインターネット１１上のサイト等で公開する（ステップＳ２０１）。
【００２３】
携帯端末（Ｕ）１０１の利用者は、携帯端末（Ｕ）１０１を操作して、前記サイト等にアクセスし共通定義情報を受信し（ステップＳ２０２）、閲覧する。携帯端末（Ｕ）１０１の利用者は、例えば、前記サイト上に設けられた属性分類情報を選択するチェックボックスをクリックする等して、サービスの利用登録情報を作成し（ステップＳ２０３）、配信管理装置（Ｗ）４０に送信して利用登録要求を行う（ステップＳ２０４）。
【００２４】
配信管理装置（Ｗ）４０は、前記利用登録要求を受信すると（ステップＳ２０５）、サービスの利用登録情報を、利用者情報データベースに格納し登録完了する（ステップＳ２０６）。
【００２５】
図５は、配信開始通知工程の流れを表した図である。図５を参照すると、まず、配信準備が完了すると（ステップＳ３０１）、情報提供装置（Ｊ）３１は、少なくとも属性分類情報（Ａ）と配信キー（Ｋ）を含んだ配信開始情報を作成し（ステップＳ３０２）、配信管理装置（Ｗ）４０に対して、配信開始情報を含んだ配信開始通知を送信する（ステップＳ３０３）。
【００２６】
上記配信キー（Ｋ）は、情報提供装置（Ｊ）３１が携帯端末（Ｕ）１０１からのアクセスを受け付ける際に、情報提供装置（Ｊ）３１を特定するとともに、有効期限を確認するために用いる期限付きのアクセス情報である。
【００２７】
また、上記配信開始通知は、情報提供装置（Ｊ）３１側において、配信するデータの更新が行われたタイミングで作成、送信されるものである。例えば、前述のレンタルビデオ業であれば、新たな作品が入荷した場合や、期間限定のキャンペーンが開始される際に生成・送信される。また、この配信開始通知に、特定の無線通信網２１のアクセスポイントに移動することを促すメッセージ等を含めても良い。
【００２８】
配信管理装置（Ｗ）４０は、前記配信開始通知を受信すると（ステップＳ３０４）、利用者情報データベースを検索し、前記配信開始通知に含まれる属性分類情報（Ａ）と一致するサービスの利用登録情報を有する携帯端末（Ｕ）１０１を選別（抽出）する（ステップＳ３０５）。そして、配信管理装置（Ｗ）４０は、移動通信網１０を介して、前記配信開始通知に指定された条件（属性分類情報）に一致するすべての携帯端末（Ｕ）１０１に対して、前記配信開始通知を転送する（ステップＳ３０６）。
【００２９】
携帯端末（Ｕ）１０１は、前記配信開始通知を受信すると（ステップＳ３０７）、配信開始通知に含まれる属性分類（Ａ）と配信キー（Ｋ）を、そのメモリ手段に記憶する（ステップＳ３０８）。
【００３０】
携帯端末（Ｕ）１０１が最寄りの無線通信網２１の無線圏内に移動すると、携帯端末（Ｕ）１０１と情報提供装置（Ｊ）３１が通信可能な状態となる。図６は、該状態において開始される情報配信工程の流れを表した図である。図６を参照すると、まず、携帯端末（Ｕ）１０１は、配信開始通知を受け取った情報提供装置（Ｊ）３１から情報を受信するために、情報配信要求を作成し（ステップＳ４０１）、情報提供装置（Ｊ）３１に送信する（ステップＳ４０２）。
【００３１】
なお、上記情報配信要求には、配信開始通知に含まれる属性分類（Ａ）と配信キー（Ｋ）が含まれている。
【００３２】
情報提供装置（Ｊ）３１は、前記情報配信要求を受信すると（ステップＳ４０３）、前記情報配信要求に含まれる配信キー（Ｋ）が、自機が発行したものであり、かつ、有効期間内であるか否かを確認する（ステップＳ４０４）。
【００３３】
ここで、配信キー（Ｋ）が、自機が発行したものでない場合や、有効期間外である場合（ステップＳ４０４のＮ）は、情報提供装置（Ｊ）３１は、携帯端末（Ｕ）１０１に対し、適宜、エラーメッセージを送信する。
【００３４】
一方、配信キー（Ｋ）が、自機が発行したものであり、かつ、有効期間内である場合（ステップＳ４０４のＹ）、情報提供装置（Ｊ）３１は、前記情報配信要求に含まれる属性分類情報（Ａ）を用いて、該当する属性分類情報（Ａ）を有する情報を選択し、携帯端末（Ｕ）１０１に対して送信する（ステップＳ４０５）。
【００３５】
携帯端末（Ｕ）１０１では、受け取った配信開始通知に対応する情報が受信される（ｓテップＳ４０６）。例えば、上述したレンタルビデオ業を営むレンタルビデオショップの店舗内の無線通信網２１に移動した場合に、上記情報配信工程が行われることで、新作の入荷や、キャンペーン情報をタイムリーに得ることが可能となる。
【００３６】
以上のとおり構成したため、一つの広域情報配信設備（配信管理装置（Ｗ））と様々な情報提供装置と連携させることが可能となっている。また、個人情報をそれぞれの情報提供事業者（情報提供装置（Ｊ））に開示しなくても、利用者が望む情報を選別して配信することが可能となっている。
【００３７】
以上本発明のその好ましい実施形態を説明したが、その原理からも明らかなとおり、本発明の技術的範囲は、上述した各実施形態に限定されるものではなく、個人情報をセンタ配信管理装置（Ｗ）に止めるとともに、配信開始通知というトリガのみを選択的にユーザに配信するという本発明の要旨を逸脱しない範囲で、各種の変形・置換をなしうることが可能であることはいうまでもない。例えば、上記した実施形態では、移動通信網１０を介して配信開始通知を送信するものとして説明したが、配信開始通知を受信次第、配信管理装置（Ｗ）が携帯端末（Ｕ）側に転送可能なネットワークであれば、インターネット等その他のネットワーク経由で送信しても良いことはもちろんである。
【図面の簡単な説明】
【００３８】
【図１】本発明の第１の実施形態に係る情報配信システムの構成を表した図である。
【図２】本発明の第１の実施形態に係る情報配信システムの全体動作を表したフローチャートである。
【図３】本発明の第１の実施形態に係る情報配信システムの詳細動作を表したフローチャートである。
【図４】本発明の第１の実施形態に係る情報配信システムの詳細動作を表したフローチャートである。
【図５】本発明の第１の実施形態に係る情報配信システムの詳細動作を表したフローチャートである。
【図６】本発明の第１の実施形態に係る情報配信システムの詳細動作を表したフローチャートである。
【図７】従来の情報配信システムの構成を表した図である。
【符号の説明】
【００３９】
１０、１１０  移動通信網
１１、１１１  インターネット
２１  無線通信網
３１、１３１  情報提供装置（Ｊ）
４０、４１  配信管理装置（Ｗ）
１０１、２０１  携帯端末（Ｕ）
【図１】
2006277636.tif 000003
【図２】
2006277636.tif 000004
【図３】
2006277636.tif 000005
【図４】
2006277636.tif 000006
【図５】
2006277636.tif 000007
【図６】
2006277636.tif 000008
【図７】
2006277636.tif 000009